【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
ヒドロキシベンゼン化合物、アルデヒド化合物、および添加物を合わせ、反応混合物を生成させる工程であって、前記添加物は、カルボン酸、無水物、ホモポリマ、コポリマ、またはそれらの任意の混合物を含む工程、並びに
少なくとも前記ヒドロキシベンゼン化合物と前記アルデヒド化合物を反応させて、湿潤ゲルを生成させる工程
を含み
前記反応混合物は約１０ｗｔ％から約６５ｗｔ％の前記ヒドロキシベンゼン化合物、約５ｗｔ％から約２５ｗｔ％の前記アルデヒド化合物、約７５ｗｔ％までの前記カルボン酸、約４０ｗｔ％までの前記無水物、約４０ｗｔ％までの前記ホモポリマ、および約４０ｗｔ％までの前記コポリマを含み、前記反応混合物は約１０ｗｔ％から約８０ｗｔ％の前記添加物を含み、全ての重量パーセント値は、前記ヒドロキシベンゼン化合物、前記アルデヒド化合物、および前記添加物の合わせた重量に基づく、湿潤ゲルを製造するための方法。
【請求項２】
前記反応混合物は、前記ヒドロキシベンゼン化合物、前記アルデヒド化合物、および前記添加物の合わせた重量に基づき、約２５ｗｔ％から約８０ｗｔ％の前記添加物を含む、請求項１に記載の方法。
【請求項３】
前記反応混合物は、前記ヒドロキシベンゼン化合物、前記アルデヒド化合物、および前記添加物の合わせた重量に基づき、約２５ｗｔ％から約７０ｗｔ％の前記カルボン酸を含む、請求項１に記載の方法。
【請求項４】
前記反応混合物は、前記ヒドロキシベンゼン化合物、前記アルデヒド化合物、および前記添加物の合わせた重量に基づき、約０．５ｗｔ％から約１０ｗｔ％の前記無水物を含む、請求項１に記載の方法。
【請求項５】
前記反応混合物は、前記ヒドロキシベンゼン化合物、前記アルデヒド化合物、および前記添加物の合わせた重量に基づき、約０．５ｗｔ％から約１０ｗｔ％の前記ホモポリマを含む、請求項１に記載の方法。
【請求項６】
前記反応混合物は、前記ヒドロキシベンゼン化合物、前記アルデヒド化合物、および前記添加物の合わせた重量に基づき、約１ｗｔ％から約１０ｗｔ％の前記コポリマを含む、請求項１に記載の方法。
【請求項７】
前記反応混合物は、前記ヒドロキシベンゼン化合物、前記アルデヒド化合物、および前記添加物の合わせた重量に基づき、約３０ｗｔ％から約７０ｗｔ％の前記カルボン酸、約０．１ｗｔ％から約１０ｗｔ％の前記無水物、および約０．１ｗｔ％から約８ｗｔ％の前記コポリマを含む、請求項１に記載の方法。
【請求項８】
前記添加物は前記コポリマを含み、前記コポリマは交互コポリマ、周期コポリマ、統計コポリマ、ターポリマ、ブロックコポリマ、直鎖コポリマ、分枝コポリマ、またはそれらの任意の混合物を含む、請求項１に記載の方法。
【請求項９】
前記ヒドロキシベンゼン化合物の少なくとも一部および前記アルデヒド化合物の少なくとも一部は互いに反応させられ、プレポリマが形成され、前記プレポリマは、前記添加物の存在下で反応させられ、前記湿潤ゲルが生成される、請求項１に記載の方法。
【請求項１０】
前記ヒドロキシベンゼン化合物の少なくとも一部および前記アルデヒド化合物の少なくとも一部は互いに反応させられ、プレポリマが形成され、前記プレポリマは、添前記加物と反応させられ、前記湿潤ゲルが生成される、請求項１に記載の方法。
【請求項１１】
少なくとも１つのポリオールを前記ヒドロキシベンゼン化合物、前記アルデヒド化合物、および前記添加物と合わせ、前記反応混合物を生成させる工程をさらに含み、前記反応混合物は、前記ヒドロキシベンゼン化合物、前記アルデヒド化合物、前記添加物、および前記ポリオールの合わせた重量に基づき、約０．１ｗｔ％から約４０ｗｔ％の前記ポリオールを含む、請求項１に記載の方法。
【請求項１２】
少なくとも１つの修飾剤を前記ヒドロキシベンゼン化合物、前記アルデヒド化合物、および前記添加物と合わせ、前記反応混合物を生成させる工程をさらに含み、前記修飾剤は鉛、スズ、アンチモン、ビスマス、ヒ素、タングステン、銀、亜鉛、カドミウム、インジウム、ケイ素、鉄、硫黄、コバルト、ニッケル、臭素、塩素、ルテニウム、ロジウム、白金、パラジウム、ジルコニウム、金、それらの酸化物、またはそれらの任意の混合物を含み、前記反応混合物は、前記ヒドロキシベンゼン化合物、前記アルデヒド化合物、前記添加物、前記修飾剤の合わせた重量に基づき、約０．１ｗｔ％から約９５ｗｔ％の前記修飾剤を含む、請求項１に記載の方法。
【請求項１３】
請求項１に記載の方法で製造された湿潤ゲルを乾燥させて、乾燥ゲルを生成させる工程を含み、前記乾燥ゲルは、下記からなる群より選択される少なくとも１つの特性を有する、乾燥ゲルの製造方法：
約１０ｎｍから約１５０ｎｍの平均細孔サイズ、
約５ｍ２／ｇから約１，５００ｍ２／ｇの比表面積、および
約０．２ｃｍ３／ｇから約２．５ｃｍ３／ｇの細孔体積。
【請求項１４】
少なくとも１つの溶媒を前記ヒドロキシベンゼン化合物、前記アルデヒド化合物、および前記添加物と合わせ、前記反応混合物を生成させる工程、並びに請求項１に記載の方法で製造された湿潤ゲルを乾燥させて、乾燥ゲルを生成させる工程
を含み、
乾燥中に前記湿潤ゲルに与えられる圧力は前記溶媒の臨界圧未満で維持される、乾燥ゲルの製造方法。
【請求項１５】
前記乾燥ゲルは、下記からなる群より選択される少なくとも１つの特性を有する、請求項１４に記載の方法：
約１０ｎｍから約１５０ｎｍの平均細孔サイズ、
約５ｍ２／ｇから約１，５００ｍ２／ｇの比表面積、および
約０．２ｃｍ３／ｇから約２．５ｃｍ３／ｇの細孔体積。
【請求項１６】
前記ヒドロキシベンゼン化合物は、フェノール、レゾルシノール、クレゾール、カテコール、ヒドロキノン、フロログルシノール、またはそれらの任意の混合物を含み、前記アルデヒド化合物は、ホルムアルデヒド、アセトアルデヒド、プロピオンアルデヒド、ブチルアルデヒド、フルフルアルデヒド、グルコース、ベンズアルデヒド、桂皮アルデヒド、またはそれらの任意の混合物を含む、請求項１に記載の方法。
【請求項１７】
前記ヒドロキシベンゼン化合物は、フェノール、レゾルシノール、クレゾール、カテコール、ヒドロキノン、フロログルシノール、またはそれらの任意の混合物を含み、前記アルデヒド化合物は、ホルムアルデヒド、アセトアルデヒド、プロピオンアルデヒド、ブチルアルデヒド、フルフルアルデヒド、グルコース、ベンズアルデヒド、桂皮アルデヒド、またはそれらの任意の混合物を含み、前記添加物は、酢酸、クエン酸、および無水マレイン酸を含む、請求項１に記載の方法。
【請求項１８】
少なくとも１つの溶媒を前記ヒドロキシベンゼン化合物、前記アルデヒド化合物、および前記添加物と合わせ、前記反応混合物を生成させる工程、並びに
請求項１に記載の方法で製造された湿潤ゲルを乾燥させて、乾燥ゲルを生成させる工程
を含み、
乾燥中に前記湿潤ゲルに与えられる圧力は前記溶媒の臨界圧未満で維持され、
前記ヒドロキシベンゼン化合物は、フェノール、レゾルシノール、クレゾール、カテコール、ヒドロキノン、フロログルシノール、またはそれらの任意の混合物を含み、
前記アルデヒド化合物は、ホルムアルデヒド、アセトアルデヒド、プロピオンアルデヒド、ブチルアルデヒド、フルフルアルデヒド、グルコース、ベンズアルデヒド、桂皮アルデヒド、またはそれらの任意の混合物を含み、
前記添加物は、酢酸、クエン酸、無水マレイン酸、またはそれらの任意の混合物を含み、
前記溶媒は水、１つ以上のアルコール、１つ以上のアルカン、１つ以上のケトン、１つ以上の芳香族炭化水素、またはそれらの任意の混合物を含み、
前記乾燥ゲルは、下記からなる群より選択される少なくとも１つの特性を有する乾燥ゲルの製造方法：
約１０ｎｍから約１５０ｎｍの平均細孔サイズ、
約５ｍ２／ｇから約１，５００ｍ２／ｇの比表面積、および
約０．２ｃｍ３／ｇから約２．５ｃｍ３／ｇの細孔体積。
【請求項１９】
溶媒、ヒドロキシベンゼン化合物、アルデヒド化合物、および添加物を合わせて、反応混合物を生成させる工程であって、前記添加物は、カルボン酸、無水物、ホモポリマ、コポリマ、またはそれらの任意の混合物を含む工程、
少なくとも前記ヒドロキシベンゼン化合物と前記アルデヒド化合物を反応させて、湿潤ゲルを生成させる工程、並びに
前記湿潤ゲルを乾燥させて、乾燥ゲルを生成させる工程
を含み、
乾燥中に前記湿潤ゲルに与えられる圧力は、前記溶媒の臨界圧未満で維持され、前記乾燥ゲルは、下記からなる群より選択される少なくとも１つの特性を有する、乾燥ゲルを製造するための方法：
約１０ｎｍから約１５０ｎｍの平均細孔サイズ、
約５ｍ２／ｇから約１，５００ｍ２／ｇの比表面積、および
約０．２ｃｍ３／ｇから約２．５ｃｍ３／ｇの細孔体積。
【請求項２０】
下記からなる群より選択される、乾燥ゲルの１つ以上の所望の特性を決定する工程：約１０ｎｍから約１５０ｎｍの平均細孔サイズ、約５ｍ２／ｇから約１，５００ｍ２／ｇの比表面積、および約０．２ｃｍ３／ｇから約２．５ｃｍ３／ｇの細孔体積、
溶媒、ヒドロキシベンゼン化合物、アルデヒド化合物、および添加物を合わせて、反応混合物を生成させる工程であって、前記添加物は、カルボン酸、無水物、ホモポリマ、コポリマ、またはそれらの任意の混合物を含む工程、
少なくとも前記ヒドロキシベンゼン化合物と前記アルデヒド化合物を反応させて、湿潤ゲルを生成させる工程、並びに
前記湿潤ゲルを乾燥させて、乾燥ゲルを生成させる工程
を含み、
乾燥中に前記湿潤ゲルに与えられる圧力は前記溶媒の臨界圧未満で維持され、前記ヒドロキシベンゼン化合物の量、前記アルデヒド化合物の量、および前記添加物の量は、前記１つ以上の所望の特性を有する前記乾燥ゲルを生成するように制御される、方法。